(57)【要約】【課題】ウイング部分を有する体液吸収性物品の包装体を幅の狭いものにする。【解決手段】ウイング部分１１，１２を有する生理用ナプキン２等の体液吸収性物品は、ウイング部分１１，１２が、それぞれの粘着域２１，２２を個別の保護シート３１，３２によって被覆された状態でウイング部分１１と１２との間の本体部分４に向かって折曲され、その本体部分４は肌当接面を内側にして前後方向Ａへ折曲されて包装シート３によって包装されて包装体が形成される包装体において、ウイング部分１１，１２のそれぞれと保護シート３１，３２とのそれぞれは本体部分４の厚さ方向において交互に重なり合う。【選択図】図４
2010227439.tif 000002
【特許請求の範囲】
【請求項１】
肌当接面とその反対面である非肌当接面とを有していてパンツ形状の着用物品における股下域の内面に前記非肌当接面が当てられる体液吸収性の本体部分と、前記本体部分において前記股下域の前後方向へ互いに並行して延びる両側縁部それぞれから前記前後方向に交差する前記股下域の幅方向へ延出し前記股下域の外面に剥離可能に止着される一対のウイング部分とを含む体液吸収性物品が、前記股下域の外面に止着される前記ウイング部分それぞれの外面に粘着域を有していて、前記粘着域がそれに剥離可能に止着する保護シートによって被覆されており、前記本体部分が前記肌当接面を内側にして前記前後方向において折り重ねられた状態にあり、かつ、前記体液吸収性物品が包装シートによって被覆されている前記体液吸収性物品の包装体において、
一対の前記ウイング部分は、それぞれの前記粘着域に対して個別に作られた前記保護シートのそれぞれによって被覆されていて、前記本体部分の前記肌当接面および前記非肌当接面のいずれかに向かって折曲された状態にあり、前記ウイング部分のそれぞれと個別の前記保護シートのそれぞれとが前記本体部分の厚さ方向において交互に重なり合っていることを特徴とする前記包装体。
【請求項２】
一対の前記ウイング部分それぞれの前記粘着域を被覆する前記保護シートの一方は、それが使用されている前記ウイング部分の一方から延出している部分において前記ウイング部分のもう一方に使用されている前記保護シートのもう一方に重なりかつ接合している請求項１記載の包装体。
【請求項３】
一対の前記保護シートが互いに接合し、かつ、前記保護シートのいずれか一方が前記包装シートに剥離不能に接合している請求項１または２記載の包装体。
【請求項４】
一対の前記保護シートのそれぞれが前記包装シートに剥離不能に接合している請求項１または２記載の包装体。
【請求項５】
前記保護シートが互いに重なり合って接合している部位と、前記いずれか一方の前記保護シートが前記包装シートに接合している部位とが、前記いずれか一方の保護シートの両面の間において重なり合っている請求項３記載の包装体。
【請求項６】
交互に重なり合っている前記ウイング部分と前記保護シートとのうちで、前記本体部分の前記肌当接面と重なるように折曲されている一方の前記ウイング部分に使用された前記保護シートが、その保護シートに重なるように折曲されているもう一方の前記ウイング部分に使用された前記保護シートを前記前後方向において越えて延びている請求項１〜５のいずれかに記載の包装体。
【請求項７】
前記体液吸収性物品は、前記肌当接面を内側にして前記前後方向において折り重ねられた状態にあり、前記包装シートを一方の手に持ち、前記体液吸収性物品をもう一方の手に持って、前記包装体から前記体液吸収性物品を取り出すと、前記包装シートに接合している前記保護シートと前記保護シートに接合しているもう一方の保護シートとが前記ウイング部分のそれぞれの粘着域から自動的に剥離して、前記包装シートに残る請求項３〜６のいずれかに記載の包装体。
【請求項８】
前記本体部分の前記非肌当接面は、前記股下域の前記内面に対して剥離可能に止着する粘着域が形成されているものであるか、前記粘着域が形成されていないものであるかのいずれかである請求項１〜７のいずれかに記載の包装体。
【請求項９】
前記本体部分の前記非肌当接面に形成される前記粘着域は、前記保護シートとは別体であって剥離可能である第２の保護シートおよび前記包装シートのいずれかによって被覆されている請求項８記載の包装体。
【発明の詳細な説明】
【技術分野】
【０００１】
この発明は、生理用ナプキンを一例とする体液吸収性物品の包装体に関する。
【背景技術】
【０００２】
従来、生理用ナプキンには、着用しているショーツに対してずれることがないようにするために、生理用ナプキンの外面に粘着域を設けることがある。また、生理用ナプキンの本体部分の両側縁部それぞれからウイング部分を延出させてある生理用ナプキンでは、そのウイング部分の外面に粘着域を設ける。これらの粘着域は、生理用ナプキンが使用されるまでの間に塵埃で汚れることがないようにするために、セパレータ等の保護シートによって被覆しておかなければならない。
【０００３】
例えば、特許文献１に開示されている生理用ナプキンの包装体では、生理用ナプキンの本体部分における粘着域が本体保護シートによって被覆され、ウイング部分それぞれにおける粘着域が両方の粘着域に共通する１枚のウイング保護シートによって被覆されていて、これら本体保護シートとウイング保護シートとが包装シートに剥離不能に接合されている。生理用ナプキンと包装シートとは、生理用ナプキンが三つに折り重ねられた状態で包装体を形成している。この包装体ではまた、包装シートの一端部を一方の手に持ち、生理用ナプキンの一端部をもう一方の手に持って、包装シートと生理用ナプキンとを互いに逆方向に引っ張ると、本体保護シートとウイング保護シートとが生理用ナプキンから自動的に剥離して、包装体から生理用ナプキンを取り出すことができる。
【０００４】
特許文献２に開示されている包装体には、ウイング部分それぞれの粘着域が、個別のウイング保護シートによって被覆されているものがある。ウイング保護シートのそれぞれは、ウイング部分から本体部分の外面側にまで延びていて、その外面側において包装シートに剥離不能に接合されている。
【先行技術文献】
【特許文献】
【０００５】
【特許文献１】特許第３１６３２３３号明細書（ＪＰ  ３１６３２３３  Ｂ）
【特許文献２】特開２００４−１１３５９０号公報（ＪＰ  ２００４−１１３５９０  Ａ）
【発明の概要】
【発明が解決しようとする課題】
【０００６】
特許文献１に開示の包装体は、その幅を狭くしようとして、生理用ナプキンの一方のウイング部分の粘着域の上にもう一方のウイング部分が重なるように両ウイング部分を折曲すると、ウイング部分どうしが粘着域を介して接合してしまう。それゆえ、包装体を作るときには、幅方向においてウイング部分どうしが離間するようにウイング部分を折曲して、一方のウイング部分がもう一方のウイング部分の粘着域に接触しないようにしなければならず、この包装体では、その幅をあまり狭くすることができない。
【０００７】
特許文献２に開示の包装体は、２枚のウイング保護シートを用いるものではあるが、生理用ナプキンの本体部分に折り重ねられたウイング部分は、包装体の製造工程において徒に動くことがないように、本体部分に仮止めされるか、ウイング部分どうしの重なり合う部分において仮止めされる。それゆえ、この包装体では、生理用ナプキンを着用しようとするときに、ウイング保護シートをウイング部分から剥離する手間の他に、ウイング部分においての仮止めを解くという手間がかかる。
【０００８】
そこで、この発明は、一対のウイング部分を有する生理用ナプキンを一例とする体液吸収性物品の包装体であって、包装体の幅を狭くすることができるようにウイング部分が互いに重なるように折曲してあり、しかもその体液吸収性物品を着用しようとするときには手間のかからない、そのような体液吸収性物品の包装体の提供を課題にしている。
【課題を解決するための手段】
【０００９】
前記課題を解決するためのこの発明が対象とするのは、肌当接面とその反対面である非肌当接面とを有していてパンツ形状の着用物品における股下域の内面に前記非肌当接面が当てられる体液吸収性の本体部分と、前記本体部分において前記股下域の前後方向へ互いに並行して延びる両側縁部それぞれから前記前後方向に交差する前記股下域の幅方向へ延出し前記股下域の外面に剥離可能に止着される一対のウイング部分とを含む体液吸収性物品が、前記股下域の外面に止着される前記ウイング部分それぞれの外面に粘着域を有し、前記粘着域がそれに剥離可能に止着する保護シートによって被覆されており、前記本体部分が前記肌当接面を内側にして前記前後方向において折り重ねられた状態にあり、かつ、前記体液吸収性物品が包装シートによって被覆されている前記体液吸収性物品の包装体である。
【００１０】
かかる包装体において、この発明が特徴とするところは、次のとおりである。すなわち、一対の前記ウイング部分は、それぞれの前記粘着域に対して個別に作られた前記保護シートのそれぞれによって被覆されていて、前記本体部分の前記肌当接面および前記非肌当接面のいずれかに向かって折曲された状態にあり、前記ウイング部分のそれぞれと個別の前記保護シートのそれぞれとが前記本体部分の厚さ方向において交互に重なり合っている。
【００１１】
この発明の実施形態の一つにおいて、一対の前記ウイング部分それぞれの前記粘着域を被覆する前記保護シートの一方は、それが使用されている前記ウイング部分の一方から延出している部分において前記ウイング部分のもう一方に使用されている前記保護シートのもう一方に重なりかつ接合している。
【００１２】
この発明の実施形態の他の一つにおいて、一対の前記保護シートが互いに接合し、かつ、前記保護シートのいずれか一方が前記包装シートに剥離不能に接合している。
【００１３】
この発明の実施形態の他の一つにおいて、一対の前記保護シートのそれぞれが前記包装シートに剥離不能に接合している。この発明実施形態の他の一つにおいて前記保護シートが互いに重なり合って接合している部位と、前記いずれか一方の前記保護シートが前記包装シートに接合している部位とが、前記いずれか一方の保護シートの両面の間において重なり合っている。
【００１４】
この発明の実施形態の他の一つにおいて、交互に重なり合っている前記ウイング部分と前記保護シートとのうちで、前記本体部分の前記肌当接面と重なるように折曲されている一方の前記ウイング部分に使用された前記保護シートが、その保護シートに重なるように折曲されているもう一方の前記ウイング部分に使用された前記保護シートを前記前後方向において越えて延びている。
【００１５】
この発明の実施形態の他の一つにおいて、前記体液吸収性物品は、前記肌当接面を内側にして前記前後方向において折り重ねられた状態にあり、前記包装シートを一方の手に持ち、前記体液吸収性物品をもう一方の手に持って、前記包装体から前記体液吸収性物品を取り出すと、前記包装シートに接合している前記保護シートと前記保護シートに接合しているもう一方の保護シートとが前記ウイング部分のそれぞれの粘着域から自動的に剥離して、前記包装シートに残る。
【００１６】
この発明の実施形態の他の一つにおいて、前記本体部分の前記非肌当接面は、前記股下域の前記内面に対して剥離可能に止着する粘着域が形成されているものであるか、前記粘着域が形成されていないものであるかのいずれかである。
【００１７】
この発明の実施形態のさらに他の一つにおいて、前記本体部分の前記非肌当接面に形成される前記粘着域は、前記保護シートとは別体であって剥離可能である第２の保護シートおよび前記包装シートのいずれかによって被覆されている。
【発明の効果】
【００１８】
この発明に係る体液吸収性物品の包装体では、体液吸収性物品に形成されている一対のウイング部分それぞれにおける粘着域が個別の剥離可能な保護シートで被覆してあるから、包装体の幅を狭くしようとするときに、体液吸収性物品はそのウイング部分どうしを折り重ねることができる。また、折り重ねたウイング部分に使用されている個別の保護シートどうしが互いに重なり合う部位において接合している態様の体液吸収性物品では、包装体の製造工程において、ウイング部分が徒に動くということがない。
【図面の簡単な説明】
【００１９】
【図１】生理用ナプキンの包装体の部分破断斜視図。
【図２】包装体から取り出した生理用ナプキンの部分破断斜視図。
【図３】図２の生理用ナプキンから図１の包装体を得るときの手順を示すための生理用ナプキンの部分破断平面図。
【図４】保護シートがウイング部分に止着している状態を示す図３と同様な図。
【図５】実施形態の一例を示す図４と同様な図。
【図６】実施形態の一例を示す図５と同様な図。
【図７】実施形態の他の一例を示す図６と同様な図。
【図８】実施形態の他の一例を示す図５と同様な図。
【発明を実施するための形態】
【００２０】
この発明に係る体液吸収性物品の包装体として生理用ナプキンの包装体を例にとり、添付の図面を参照してこの発明の詳細を説明すると、以下のとおりである。
【００２１】
図１は、生理用ナプキンの包装体１の部分破断斜視図である。包装体１は、生理用ナプキン２と包装シート３とを含むもので、互いに直交する縦方向と横方向と厚さ方向とが双頭矢印Ａ，Ｂ，Ｃで示されている。包装体１はまた、側縁部１５，１６において重なり合う包装シート３どうしを接合して縦方向Ａへ互いに並行して延びる一対のシール部１５ａ，１６ａを含み、包装シート３の前端部１７にはリードテープ９が剥離不能に取り付けられていて、包装体１におけるナプキン取り出し用の開口３ｄを閉じている。リードテープ９は、その内面に形成された止着域９ａ（図３参照）において、包装シート３のうちで前端部１７が重なる部位３ａに対して剥離可能に接合している。包装体１では、一方の手（図示せず）でリードテープ９を部位３ａから剥離して包装シート３とともに矢印Ｒで示す方向へ引っ張るようにすると、包装シート３で隠れていた生理用ナプキン２の前端部７が現れる。そこで、もう一方の手（図示せず）でその前端部７を摘み、包装シート３の前端部１７と生理用ナプキン２の前端部７とを、縦方向Ａにおいて互いに反対方向となるように引っ張ると、包装シート３は、シール部１５ａ，１６ａにおける接合が解けるかまたはシール部１５ａ，１６ａに沿って破れることによって、仮想線で示された状態となり、生理用ナプキン２もまた仮想線で示された状態となって、生理用ナプキン２を包装体１から取り出すことができる。なお、この発明において剥離不能というときには、包装体１の日常的な取り扱いにおいて、部材どうしの接合が剥離させること目的にしておらず容易にまたは全く剥離しない状態であることを意味しており、剥離可能というときには、包装体１の日常的な取り扱いにおいて、部材どうしの接合が剥離させることを目的にしている状態であることを意味している。図２は、包装体１から取り出した生理用ナプキン２の部分破断斜視図である。この生理用ナプキン２の前後方向と横方向と厚さ方向とは、包装体１の前後方向Ａと横方向Ｂと厚さ方向Ｃとに同じであって、生理用ナプキン２は、生理用ショーツ（図示せず）の股部に沿うように前後方向Ａへ湾曲しながら延びた状態で示されている。生理用ナプキン２はまた、着用者の肌に当接して体液を吸収する本体部分４と、本体部分４の両側縁部である第１、第２側縁部４１，４２のそれぞれから横方向Ｂへ延出する第１、第２ウイング部分１１，１２とを有する。本体部分４は、透液性内面シート４３と、不透液性外面シート４４と、これら両シート４３，４４の間に介在する体液吸収性の芯材４５とを有する。内面シート４３と外面シート４４とは、芯材４５の周辺から延出しており、その延出する部分で重なり合い、溶着または接着により互いに接合している。本体部分４の第１、第２側縁部４１，４２と第１、第２ウイング部分１１，１２とは、互いに接合している内面シート４３と外面シート４４とによって形成されている。かような内面シート４３は、図２の状態において、着用者の肌に対しての当接面を形成しており、外面シート４４は、パンツ形状の着衣である例えばショーツの股部と向かい合う外面すなわち肌に対する非当接面を形成している。その外面シート４４のうちで、第１、第２ウイング部分１１，１２に位置する外面シート４４には、これらウイング部分１１，１２をショーツの股部外面に剥離可能に止着するための第１、第２粘着域２１，２２（図３参照）が形成されており、本体部分４における外面シート４４には、生理用ナプキン２をショーツの股部における内面に剥離可能に止着するための第３粘着域２３が形成されている。これら第１、第２、第３粘着域２１，２２，２３は、外面シート４４に粘着剤を塗布することによって形成される。図の生理用ナプキン２は、前後方向Ａにおいて、第１端部７とその反対端部である第２端部８とを有し、生理用ナプキン２の平面形状に応じてどちらの端部をショーツの前方に位置させるかを決めればよいものであるが、図示例においては、第１端部７を前方に向けるものとして説明し、その第１端部７を前端部７と呼び、第２端部８を後端部８と呼ぶことがある。
【００２２】
図３は、図２の生理用ナプキン２から図１の包装体１を得るときの生理用ナプキン２の折り畳み手順の一例を説明するための生理用ナプキン２の部分破断平面図であるが、この図には図１に使用されている包装シート３の平面図が併せて示されている。また、図３では、図２の生理用ナプキン２を前後方向Ａと横方向Ｂとに伸展して平面状にしたときのものが仮想線で示されている。図３の生理用ナプキン２は、包装体１の横方向Ｂの寸法、すなわち包装体１の幅が小さくなるように、本体部分４の第１、第２側縁部４１，４２が生理用ナプキン２の内側に向かって、換言すると内面シート４３に向かって折曲されている。また、第１、第２ウイング部分１１，１２も内面シート４３に向かって折曲されていて、第２ウイング部分１２の側縁部１２ａが下となり、第１ウイング部分１１の側縁部１１ａが上となるように重なり合っていて、第２ウイング部分１２はその内面全体が本体部分４の肌当接面である内面シート４３と向かい合っている。折曲されている第１、第２ウイング部分１１，１２における外面シート４４には、第１粘着域２１と第２粘着域２２とが形成されている。包装シート３は、生理用ナプキン２をその外面の側から被覆した状態にあって、本体部分４と向かい合う内面３ｂにはセパレータである第３保護シート３３が第２接着剤５３を介して剥離不能に取り付けられている。その第３保護シート３３は、生理用ナプキン２の第３粘着域２３（図２参照）に剥離可能に止着して第３粘着域２３を保護するためのものである。図３の生理用ナプキン２と包装シート３とは、横方向Ｂの寸法を２等分する中心線Ｌに関して対称に形成されているもので、本体部分４における第１、第２側縁部４１，４２は、中心線Ｌに平行する折曲線４１ａ，４２ａに沿って折曲されている。図示されてはいないが、折曲線４１ａ，４２ａが芯材４５の上を走るものである場合には、その折曲線４１ａ，４２ａに一致するように芯材４５に溝を作ることによって、第１、第２側縁部４１，４２の折曲を容易にすることができる。包装シート３には、リードテープ９が中心線Ｌ上に位置するように取り付けられていて、そのリードテープ９には粘着性の止着域９ａと非粘着性の摘持域９ｂとが含まれている。
【００２３】
図４は、図３における第１、第２粘着域２１，２２を剥離可能に被覆するためのセパレータとなる第１、第２保護シート３１，３２がこれら粘着域２１，２２に止着している状態を示す図３と同様の図である。図において、第１、第２ウイング部分１１，１２とこれらに対して使用されているウイング用の第１、第２保護シート３１，３２とは、ウイング部分と保護シートとが互い違いとなるように重なり合っている。ウイング用の第１、第２保護シート３１，３２は、個別のものでありかつ包装シート３とは別体のものであって、それぞれは、第１、第２粘着域２１，２２それぞれに止着する第１、第２剥離面３１ａ，３２ａと、それらの反対面である第１、第２非剥離面３１ｂ，３２ｂとを有し、第１、第２粘着域２１，２２それぞれの周縁から延出するように広がっている。
【００２４】
図４において、中心線Ｌに直交して横方向Ｂへ延びる第１仮想線Ｆ１と第２仮想線Ｆ２とは、この図で重なり合っている生理用ナプキン２と包装シート３とによって形成されている複合体６０から図１の包装体１を得るときに、その複合体６０が折曲される位置を示している。複合体６０から包装体１を得るには、複合体６０を内面シート４３が内側になるように第１仮想線Ｆ１に沿って矢印Ｑ１で示す方向へ折曲して複合体６０どうしを重ね合わせる。次に、複合体６０を第２仮想線Ｆ２に沿って矢印Ｑ２で示す方向へ折曲して、生理用ナプキン２の後端部８が下となり前端部７が上となるように、これら前端部７と後端部８とを包装シート３を介して重ね合わせる。さらに、生理用ナプキン２の第１、第２側縁部４１，４２それぞれの外側で重なり合う包装シート３どうしを加熱下に加圧して図１におけるシール部１５ａ，１６ａを形成し、包装シート３の側部を閉じる。さらに続けて、リードテープ９をその止着域９ａと向かい合う包装シート３の部位３ａ（図１参照）に接合して開口３ｄを閉じ、包装体１とする。かような包装体１では、生理用ナプキン２が三つに折り畳まれた状態にある。ただし、この発明は、生理用ナプキン２が二つに折り畳まれた状態や四つ以上に折り畳まれた状態、円柱状に丸められた状態で実施することも可能である。第３保護シート３３は、包装シート３に剥離不能に接合しているから、生理用ナプキン２と包装シート３とを分離させるようにすると、その第３保護シート３３は第３粘着域２３から自動的に剥離して、包装シート３に残る。
【００２５】
これまでの図示例で明らかなように、包装体１では、第１、第２ウイング部分１１，１２における第１、第２粘着域２１，２２のそれぞれを個別の第１、第２保護シート３１，３２それぞれで被覆するから、幅の小さい包装体１を得ようとするときに、第１、第２ウイング部分１１，１２を互いに重なり合うように折曲しても、第２粘着域２２において第１ウイング部分１１と第２ウイング部分１２とが接合状態になるということがない。また、包装体１の製造過程において、横方向Ｂへ離間させておく予定であった第１ウイング部分１１と第２ウイング部分１２とが重なり合ってしまったという場合であっても、この発明によれば包装体１の製造が可能である。なお、生理用ナプキン２が、後端部８において幅方向Ｂの両側に広がっていて着用者のヒップの汚れを防ぐことが可能な一対のヒップウイング部分を有し、ヒップウイング部分それぞれの外面に粘着域が形成されているものである場合には、包装体１を幅の狭いものにするために、その粘着域を個別の保護シートで被覆した状態でヒップウイング部分を折り重ねることが好ましい。また、そのヒップウイング部分では、個別の保護シートを互いに重なり合う部位において接合しておくことがより好ましい。
【００２６】
包装体１において、生理用ナプキン２は、周知慣用の材料によって作ることができる。例えば、内面シート４３は、熱可塑性合成樹脂で形成された開孔プラスチックフィルムや熱可塑性合成繊維で形成された不織布によって作ることができる。外面シート４４は、熱可塑性合成樹脂で形成されたフィルムで作ることができる。芯材４５は、粉砕パルプや高吸水性ポリマー粒子等によって作ることができる。包装シート３は、熱可塑性合成樹脂で形成されたフィルムや熱可塑性合成繊維で形成された不織布で作り、そのフィルムや不織布の重なり合う部分を加熱下に加圧することによって溶着し、シール部１５ａ，１５ｂを作ることができる。第１、第２、第３保護シート３１，３２，３３には、紙やプラスチックフィルムで形成された慣用のセパレータ用シートを使用することができる。また、包装シート３は、第３保護シート３３を使用せずに、包装シート３が第３粘着域２３と向かい合う部分に剥離剤を塗布しておくことによって、第３粘着域２３に対するセパレータ用シートとしての機能を持たせることができる。
【００２７】
図５は、実施形態の一例を示す図４と同様な図である。図５の複合体６０においては、第１保護シート３１が第１ウイング部分１１の縁部１１ａから延出する部分３１ｄにおいて第２保護シート３２に重なり、その部分３１ｄのうちの鎖線で示された第１部位６１において第２保護シート３２にホットメルト接着剤等の接着剤（図示せず）を介して接合している。第１部位６１は、その位置を部分３１ｄにおいて自由に選ぶことができるものであり、例えば仮想線で示された第２部位６２に変えることができる。ただし、第１部位６１は、図示例の如く、第１、第２粘着域２１，２２に重なることがなく、前後方向Ａにおいて、これら第１、第２粘着域２１，２２よりも生理用ナプキン２の前端部７に近い位置にあることが好ましい。また、そのような第１部位６１は、中心線Ｌと交差して生理用ナプキン２の幅方向Ｂにおける中央に位置していることが好ましい。図示例の第２保護シート３２は、前後方向Ａにおいて、前端部７に向かって第１保護シート３１よりも長く延びている部位６６を有する。このような複合体６０では、第１ウイング部分１１と第２ウイング部分１２とが、第１保護シート３１と第２保護シート３２とを介して連結された状態にあって、自由に動くことを互いに拘束しているから、包装体１を高速生産する工程においての生理用ナプキン２は、第１、第２ウイング部分１１，１２が徒に動くということがなく、その高速生産を容易にすることができる。このような工程においての第１保護シート３１と第２保護シート３２とは、第１部位６１または第２部位６２において剥離不能に接合していることが好ましいが、第１、第２ウイング部分１１，１２の動きを抑える効果があるならば、剥離可能に接合していてもよい。また、生産された包装体１から生理用ナプキン２を取り出したときに、第１保護シート３１と第２保護シート３２とのうちのいずれか一方を持てば、両保護シート３１，３２を第１、第２ウイング部分１１，１２から同時に剥離することができるようにしたいのであれば、第１保護シート３１と第２保護シート３２とが第１部位６１または第２部位６２において剥離不能な接合状態にあることが好ましい。さらにはまた、第１、第２保護シート３１，３２を同時にスムーズに剥離したいときには、第１、第２保護シート３１，３２が第１部位６１において剥離不能に接合していることに加え、第２保護シート３２が部位６６を有するものであることが好ましい。
【００２８】
図５の複合体６０を使って得られる包装体１から取り出した生理用ナプキン２は、それを一方の手に持って前端部７を矢印Ｍで示される方向へ引張るようにし、もう一方の手では第２保護シート３２の部位６６を摘んで矢印Ｍとは反対の方向である矢印Ｎで示される方向へ引張るようにすると、図示の部位６６は裏返しになって生理用ナプキン２の後端部８に向かって動くから、第２保護シート３２には第２粘着域２２に対しての剥離力が作用して第２保護シート３２が第２粘着域２２からスムーズに剥離する。第１保護シート３１もまた、第２保護シート３２に引張られて第１部位６１の近傍が裏返しとなり、第１粘着域２１に対しての剥離力が作用して第１粘着域２１からスムーズに剥離する。部位６６が形成されていることは、重なり合う第１、第２保護シート３１，３２のうちの第２保護シート３２が優先的に摘まれるようにすることにおいて効果がある。図５において、第１、第２保護シート３１，３２を剥離するときに第１保護シート３１を摘むことも可能ではあるが、第１保護シート３１を引張ることによって第２保護シート３２に剥離力を作用させることは必ずしも容易ではない。それゆえ、部位６６の存在は、第２保護シート３２ではなくて第１保護シート３１を摘むことによって、第２保護シート３２の第２粘着域２２からの剥離が難しくなるという問題の発生を防ぐことに効果がある。
【００２９】
図６は、実施形態の一例を示す図５と同様な図である。図６の複合体６０では、第１保護シート３１と第２保護シート３２とが第１部位６１において接合していることに加えて、好ましくは剥離不能に接合していることに加えて、第２保護シート３２には仮想線で示された第１接合予定部位７１が含まれている。この複合体６０から得られる包装体１では、複合体６０が第１仮想線Ｆ１に沿って折曲されて、第２保護シート３２が第１接合予定部位７１において包装シート３の後方に仮想線で示された第２接合予定部位３ｃに対してホットメルト接着剤を介して剥離不能に接合し、それに伴って第１保護シート３１が包装シート３に対して第２保護シート３２を介して間接的に接合する。このようにして得られる包装体１は、図１の包装体１と外観が同じものではあるが、包装体１から生理用ナプキン２を図１に例示の如く取り出すときには、生理用ナプキン２の前端部７が矢印Ｍで示される方向へ引張られる一方、包装シート３の第２接合予定部位３ｃによって第２保護シート３２が矢印Ｎで示される方向へ引っ張られ、その第２保護シート３２によって第１保護シート３１もまた矢印Ｎで示される方向へ引っ張られることによって、第１、第２保護シート３１，３２が第１、第２粘着域２１，２２から自動的に剥離する。第１接合予定部位７１と第２接合予定部位３ｃとは中心線Ｌ上に位置していることが好ましく、そのような第１接合予定部位７１と第２接合予定部位３ｃとを有する包装体１では、図１においてリードテープ９を矢印Ｒで示された方向へ引っ張るときの力が第１、第２保護シート３１，３２に均等に作用し易くなり、これら両保護シート３１，３２をスムーズに剥離させることが容易になる。剥離させた第１、第２保護シート３１，３２は包装シート３に残るから、これらシート３１，３２は、第３保護シート３３とともに一括して廃棄することができる。第１接合部位７１と第２接合予定部位３ｃとは、ホットメルト接着剤によって接合する他に、包装シート３および／または第２保護シート３２が熱溶融性のものである場合には、包装シート３および／または第２保護シート３２を溶融させることによって接合することもできる。
【００３０】
この発明において、図６の態様はまた、第１保護シート３１を前端部７に向かって延ばし、第１接合予定部位７１において、その第１保護シート３１と第２保護シート３２とを剥離不能に接合するとともに、第１保護シート３１を包装シート３の第２接合予定部位３ｃに剥離不能に接合する態様に変更することが可能である。その変更した態様の第１保護シート３１では、第２保護シート３２に接合する部位と包装シート３に接合する部位とが第１保護シート３１の両面の間において一致した状態になり、第１保護シート３１と第２保護シート３２とを第１部位６１で接合することが不要になる。なお、図示されてはいないが、第１、第２保護シート３１，３２をそれぞれ別個に包装シート３に接合してこの発明を実施することも可能である。また、図６の態様においても、図４，５の態様においても、第３保護シート３３を包装シート３に剥離可能に接合することを必要としない場合には、これら両シート３，３３の間に介在する第２接着剤５３を使用することなくこの発明を実施することも可能である。
【００３１】
図７は、実施形態の一例を示す図６と同様な図である。図７の生理用ナプキン２では、第１、第２保護シート３１，３２が部位６１において互いに接合していることに加えて、第１、第２保護シート３１，３２にまたがるように第１接合予定部位７１が形成されている。包装体１において、第１、第２保護シート３１，３２のそれぞれは、第１接合予定部位７１において包装シート３の第２接合予定部位３ｃにホットメルト接着剤（図せず）を介して剥離不能に接合する。この態様の包装体１では、第１、第２保護シート３１，３２のそれぞれがそれらにおける非剥離面において包装シート３に接合するから、第１、第２保護シート３１，３２と包装シート３とを剥離不能に接合することが容易である。なお、ここでいう非剥離面とは、第１、第２保護シート３１，３２において接着剤の被覆保護を目的とすることがなく、剥離剤の塗布されていない面を意味している。
【００３２】
図８は、実施形態の一例を示す図５と同様な図である。ただし、図８の生理用ナプキン２では、第１、第２ウイング部分１１，１２が生理用ナプキン２の外面シート４４に向かって折曲されている。その外面シート４４には第２ウイング部分１２に使用されている第２保護シート３２が重なり、第２ウイング部分１２には第１保護シート３１が重なっている。第１ウイング部分１１に対して使用されている第１保護シート３１は、鎖線で示された部位６１において第２保護シート３２に接合している。また、図８の生理用ナプキン２は、本体部分４の外面シート４４に粘着域が形成されていないものであるが、その外面シート４４は仮想線で示された第３粘着域２３が形成されていて、その第３粘着域１３が仮想線で示された第３保護シート３３によって被覆されている態様のものに代えることができる。その第３保護シート３３は、包装シート３に対して剥離不能に接合されていることが好ましいものである。図８において、包装シート３は、第１ウイング部分１１に重なるような位置にあるものであるから仮想線で示されており、リードテープ９は、粘着域９ａ（図３参照）が形成されている面とは反対側の面が示されている。図８においては、生理用ナプキン２と仮想線で示された包装シート３とで形成される複合体６０を、第１仮想線Ｆ１に沿って矢印Ｑ３で示す方向へ折曲し、ついで第２仮想線Ｆ２に沿って矢印Ｑ４で示す方向へ折曲することによって、外観が図１と同様な包装体１を得ることができる。
【００３３】
この発明において、生理用ナプキン２を包装体１から取り出して第１、第２保護シート３１，３２を剥離したときに、第２ウイング部分１２の第２粘着域２２に第１ウイング部分１１における内面シート４３が重なって第１ウイング部分１１と第２ウイング部分１２とが接合状態となり、生理用ナプキン２が使用不能な状態になるということを防ぐために、第１ウイング部分１１における内面シート４３にはシリコンオイルなどの剥離剤を塗布しておくことが好ましい。また、第１ウイング部分１１の第１粘着域２１に第２ウイング部分１２における内面シート４３が重なって第１ウイング部分１１と第２ウイング部分１２とが接合状態になることもあり得るから、第１ウイング部分１１と第２ウイング部分１２とにおける内面シート４３に剥離剤を塗布しておくことがより好ましい。
【００３４】
この発明は、図示例の生理用ナプキン２に代えて、一対のウイング部分を有するおりもの用パッドや失禁患者用のパッド等の体液吸収性物品において、実施することもできる。
【符号の説明】
【００３５】
１      包装体
２      体液吸収性物品（生理用ナプキン）
３      包装シート
４      本体部分
１１    ウイング部分（第１ウイング部分）
１２    ウイング部分（第２ウイング部分）
２１    粘着域（第１粘着域）
２２    粘着域（第２粘着域）
２３    粘着域（第３粘着域）
３１    保護シート（第１保護シート）
３２    保護シート（第２保護シート）
３３    保護シート（第３保護シート）
Ａ      前後方向
Ｂ      横方向（幅方向）
【図１】
2010227439.tif 000003
【図２】
2010227439.tif 000004
【図３】
2010227439.tif 000005
【図４】
2010227439.tif 000006
【図５】
2010227439.tif 000007
【図６】
2010227439.tif 000008
【図７】
2010227439.tif 000009
【図８】
2010227439.tif 000010